(57)【要約】【課題】  ラチェットレンチの着脱可能なソケットにおいて、締め付けトルクが強化し、長さを調整可能とする。【解決手段】  ソケット本体を大小円柱体を組み合わせて構成し、該ソケット本体の小円柱体外周には12個の凹凸状を呈した外歯部１２を形成する。該外歯部は、ラチェットレンチ２０の同じく12個の凹凸状を呈した内歯部１３と嵌合する。該大円柱内周囲には小円柱体外歯部と同数の相対した歯型を具えた内歯部１３を形成する。該ソケット本体の歯の数が内外で対応し同数である構造により、ソケット本体を相互に嵌合して延長可能とし、狭い作業空間での使用に供する。また12個の凹凸内外歯部の構成により、これに嵌合するレンチのネジ締結作業トルクを分散し、ソケット本体の使用寿命を延長することができる。【選択図】図1
2005169559.tif 000002
【特許請求の範囲】
【請求項１】
ラチェットレンチに嵌合するソケット本体であって、
該ソケット本体は一体成型の小円柱体及び大円柱体により構成され、該ソケット本体の小円柱外周には複数個の凹凸状を呈した外歯部を形成し、
該ソケット本体の大円柱内周囲には該外歯部と同数の相対した歯型を具えた内歯部を形成したことを特徴とするラチェットレンチのソケットの構造。
【請求項２】
前記ソケット本体の凹凸状の内外歯部は12個であることを特徴とする請求項１記載のラチェットレンチのソケットの構造。
【発明の詳細な説明】
【技術分野】
【０００１】
本発明はラチェットレンチのソケットの構造に関する。特に、歯の数がソケットを構成する大小円柱体内外で対応し同数であるソケットの構造に係る。
【背景技術】
【０００２】
公知のソケットの構造は主にソケット下端の嵌合部を利用しナットを嵌合し、ソケット上端にはソケットレンチを嵌合する。該ソケットレンチを把持する際のアームとすることにより、簡単にナットの固定と取り外しを行うことができる。
【特許文献１】台湾公告第506305号公報
【０００３】
台湾公告第506305号に示すレンチソケットは、現在業界で最も広く使用されているソケットである。この種の公知のソケットは、外観が円柱形を呈するソケット本体で、該ソケット本体上端には四角形の嵌合部を設置する。該嵌合部には方形柱体のDヘッドを具えるレンチを嵌合することができる。また、ソケット本体下端には六角形の嵌合部を形成し、該嵌合部は六角形のナットを嵌合することができる。
上記公知ソケットは、一般の状況下では簡単にネジ締結作業の目的を達成することができるが、狭い空間での作業では、外観が円柱形を呈するソケットを相互に嵌合することができないため、ナットのネジ締め作業を達成することができない。
上記問題を解決するため、図５が示す長いソケットが開発された。長さを拡張したソケットにより、狭い空間でのナットのネジ締め作業を達成することができる。
【発明の開示】
【発明が解決しようとする課題】
【０００４】
上記公知構造の欠点を解決するため、本発明は歯の数が内外で対応し同数であるソケットの構造の提供を課題とする。
しかし、該ソケットの長さを拡張する方式は狭い空間での使用機能を達成することはできるが、この種の設計にはやはり下記のような欠点がある。
即ち、該工具のDヘッドレンチを嵌合し使用する時、該Dヘッドレンチの方形柱体が短すぎるため、ネジ締結作業力が不足する。
さらに、該Dヘッドレンチの方形柱体の長さを伸ばしたことに対応し、棒状の方形柱体の長さが長く、ネジ締結作業時に方形柱体が断裂し易い。
また該公知構造では、ソケット一端の方形嵌合部を利用し、Dヘッドレンチの方形柱体と相互に係合する。その内、四角形の四個の嵌合点を利用し係合する方式は、ナットをネジ締結作業する時、トルクが四個の嵌まり合う点に力が集中するため、トルクの分散点が少なくなり、ソケットの方形嵌合部或いはDヘッドレンチの方形柱体の摩損、或いは歯崩れを招く。
加えて、この種の長さを延長したソケットは、それに伴い材料コストも増加しており、その増加分は当然消費者にマイナスの影響を及ぼす。
【課題を解決するための手段】
【０００５】
上記課題を解決するため、本発明は下記の歯の数が内外で対応し同数であるソケットの構造を提供する。
それは主に、一体成型の大小円柱体を具えたソケット本体を含む。該ソケット本体の小円柱体外周には12個の凹凸状を呈した外歯部を形成する。該外歯部には12個の凹凸状を呈した内歯部、ラチェットレンチを嵌合する。
該ソケット本体の大円柱内周囲には小円柱体外歯部と同数の相対した歯型を具えた内歯部を形成し、該内歯部はナットに嵌合する。
本発明のソケット本体小円柱体外周囲の外歯部及び大円柱体内周囲の内歯部は、同数で対応した歯形に設計され、該同数で対応した歯形の設計により、該ソケット本体は相互に嵌合され、ソケット本体の長さを延長することができる。こうして狭い空間でのナットネジ締結作業機能を達成する。公知のソケットでは狭い空間での使用機能を達成するためには、別に延長型のソケットを購入しなければならなかったが、そのコストを削減することができる。
さらに、本発明では12個の凹凸状の内歯部と外歯部の相互係合を利用し、該ラチェットレンチがソケットをネジ締結作業するトルクを12個の相互に係合する歯部に平均に分散させることができる。こうして、公知のソケットとDヘッドレンチを嵌合しネジ締結作業する時、トルクが四角形の四嵌合点に集中することによるソケット本体の嵌合部或いはDヘッドレンチの方形柱体の摩損或いは歯崩れを防ぐことができる。
【発明の効果】
【０００６】
上記のように、本発明はソケット本体の歯の数が内外で対応し同数である構造を利用し、ソケット本体を相互に嵌合し、該ソケットの長さを延長し狭い空間での使用機能を達成する。また12個の凹凸内外歯部の設計により、レンチのネジ締結作業トルクを分散し、ソケット本体の使用寿命を延長することができる。
【発明を実施するための最良の形態】
【０００７】
図１が示すように、本発明は主にソケット本体１０を含む。該ソケット本体１０は一体成型の大小円柱体により構成され、該ソケット本体１０の小円柱外周には12個の凹凸状を呈した外歯部１２を形成する。該外歯部１２には、ラチェットレンチ２０の同数の凹凸状を呈した内歯部１３を嵌合してネジ締め操作する。
該ソケット本体１０の大円柱内周囲面には小円柱体外歯部１２と同数の相対した歯型を具えた内歯部１３を形成する。該内歯部１３はナットに嵌合する(図２参照)。
【０００８】
使用時には、ラチェットレンチ２０の該内歯部１３を該ソケット本体１０の小円柱体の外歯部１２に嵌入し、さらに該ソケット本体１０大円柱体内周囲の内歯部１３とナットを嵌合する。最後に該ラチェットレンチ２０をネジ締結作業し、該ソケット本体１０を作動し、ナットの螺設効果を達成する(図３参照)。
さらに図４が示すように、狭い作業環境で施工する場合には、該内歯部１３を具えたラチェットレンチ２０を該ソケット本体１０の外歯部１２と相互に嵌合し、該ソケット本体１０の外歯部１２と、該ラチェットレンチ２０に嵌合する該ソケット本体１０の大円柱内周囲に設置する内歯部１３とを相互に係合する。さらに、該嵌合したソケット本体１０大円柱内周囲の内歯部１３を利用し、ナットと嵌合し、該ソケット本体１０の長さを延ばし、狭い作業空間での使用機能を達成する。
【０００９】
公知構造では、方形嵌合部とDヘッドレンチの方形柱体を相互に係合するが、その係合点が少ない(４接点のみ)ため、トルクが四個の嵌合点に集中し、ソケットの方形嵌合部或いはDヘッドレンチの方形柱体の摩損、或いは歯崩れを招いていた。しかし、本発明では、12個の凹凸状の内歯部１３を具えたラチェットレンチ２０と該ソケット本体１０小円柱体外周囲に同数でかつ相対した歯型を持つ外歯部１２を相互に係合する方式を利用するため、12個の相互に嵌合する凹凸歯部により、該ラチェットレンチ２０のネジ締結作業トルクを12個の相互に嵌合する歯部に平均に分散させることができ、該ソケット本体１０及び該ラチェットレンチ２０の使用寿命を延ばすことができる。
【図面の簡単な説明】
【００１０】
【図１】本発明歯の数が内外で対応し同数であるソケットの構造の指示図である。
【図２】本発明歯の数が内外で対応し同数であるソケットの構造の分解指示図である。
【図３】本発明歯の数が内外で対応し同数であるソケットの構造の構造指示図である。
【図４】本発明歯の数が内外で対応し同数であるソケットの構造の作動図である。
【図５】公知のソケットの構造の外観指示図である。
【符号の説明】
【００１１】
１０  ソケット本体
１２  外歯部
１３  内歯部
２０  ラチェットレンチ
【図１】
2005169559.tif 000003
【図２】
2005169559.tif 000004
【図３】
2005169559.tif 000005
【図４】
2005169559.tif 000006
【図５】
2005169559.tif 000007